(57)【要約】【課題】細長い横断面溝形部品において少なくとも塗布必要な部分に高粘度物質をむらなく塗布し、また、その高粘度物質の塗布量もコントロールする。【解決手段】細長い横断面溝形部品３０内に長手方向に移動可能に配置され、そして、注入ホース２０で圧送ポンプに接続されてその圧送ポンプから高粘度物質の供給を受けるノズル・ホルダー１１と、その横断面溝形部品３０の内面３９および外面４０において塗布必要な部分４１、４２、４３、４４、４５、４６、４７、４８に向かい合ってそのノズル・ホルダー１１に一体的に組み付けられる多数の噴射ノズル１２、１３、１４、１５、１６、１７、１８、１９とを含む。【選択図】      図２
2004313892.tif 000002
【特許請求の範囲】
【請求項１】
細長い横断面溝形部品内に長手方向に移動可能に配置され、そして、注入ホースで圧送ポンプに接続されてその圧送ポンプから高粘度物質の供給を受けるノズル・ホルダーと、その横断面溝形部品の内面および外面において塗布必要な部分に向かい合ってそのノズル・ホルダーに一体的に組み付けられる多数の噴射ノズルとを含む多点噴射ノズル型高粘度物質噴射装置。
【請求項２】
細長い横断面溝形部品内に長手方向に移動可能に配置され、そして、注入ホースで圧送ポンプに接続されてその圧送ポンプから高粘度物質の供給を受けるメイン・ノズル・ホルダーと、そのメイン・ノズル・ホルダーに一体的に組み付けられてその横断面溝形部品内にその長手方向に移動可能に配置され、そして、その注入ホースあるいは別の注入ホースでその圧送ポンプに接続されてその圧送ポンプから高粘度物質の供給を受けるサブ・ノズル・ホルダーと、その横断面溝形部品の内面において塗布必要な上下部分に向かい合ってそのメイン・ノズル・ホルダーに一体的に組み付けられる複数の縦方向噴射ノズルと、その横断面溝形部品のその内面において塗布必要な左右部分に向かい合ってそのサブ・ノズル・ホルダーに一体的に組み付けられる複数の横方向噴射ノズルと、その横断面溝形部品の外面において複数の塗布必要な部分に向かい合ってそのメイン・ノズル・ホルダーと一緒にその横断面溝形部分のその長手方向に移動可能にされ、そして、さらに別の注入ホースでその圧送ポンプに接続されてその圧送ポンプから高粘度物質の供給を受ける分岐噴射管とを含む多点噴射ノズル型高粘性物質噴射装置。
【発明の詳細な説明】
【０００１】
【発明の関係する分野】
この発明は、細長い横断面溝形部分の内面にあるいはその横断面溝形部品のその内面にも外面にも高粘度物質を塗布する多点噴射ノズル型高粘度物質噴射装置に関する。
【０００２】
【背景技術】
通常、シート・トラックでは、固定レールが横断面溝形を採り、そして、リップ付きトップ・フランジで溝開口幅を限定する構造に成形され、その後に両端にレッグを溶接し、そして、作業者が刷毛を用いてその固定レールのその溝開口から固定レールの内面および外面にグリースが塗布されるので、塗布むらができ易く、そして、そのグリースの塗布量もその作業者の手先による調整に頼っている。
また、その刷毛塗では、その固定レールはその内面に塗布できない部分ができる。
【０００３】
【発明の課題】
この発明の課題は、細長い横断面溝形部品において少なくとも塗布必要な部分に高粘度物質をむらなく塗布でき、また、その高粘度物質の塗布量もコントロールできるところの多点噴射ノズル型高粘度物質噴射装置の提供にある。
【０００４】
【課題に相応する手段およびそれの作用】
この発明は、細長い横断面溝形部品内に長手方向に移動可能に配置され、そして、注入ホースで圧送ポンプに接続されてその圧送ポンプから高粘度物質の供給を受けるノズル・ホルダーと、その横断面溝形部品の内面および外面において塗布必要な部分に向かい合ってそのノズル・ホルダーに一体的に組み付けられる多数の噴射ノズルとを含み、そして、その横断面溝形部品において塗布必要な部分に高粘度物質をむらなく塗布する。その際、この発明は、移動速度あるいは噴射圧でその高粘度物質の塗布量を種々に変えて設定する。また、その高粘度物質の塗布量は、複数の異なる噴口面積のその噴射ノズルを用いて設定されてもかまわない。さらに、その高粘度物質の塗布量は、複数の異なる供給ラインを用いて設定可能である。
【０００５】
【具体例の説明】
以下、特定されて図示された具体例に基づいて、この発明の多点噴射ノズル型高粘度物質噴射装置を説明するに、図１ないし図３は、自動車シートに組み込まれるシート・トラックの固定レール（細長い横断面溝形部品）３０にグリース（高粘度物質）を塗布するところのこの発明の多点噴射ノズル型高粘度物質噴射装置の具体例１０を示し、そして、その固定レール３０は、鋼板から底壁３１および左右の側壁３２、３３に折り曲げる横断面溝形を採り、そしてさらにその左右の側壁３２、３３のそれぞれにリップ付きトップ・フランジ３４、３５を折り曲げてそのリップ付きトップ・フランジ３４、３５で溝開口３８の開口幅を決定する構造に成形される。
【０００６】
その多点噴射ノズル型高粘度物質噴射装置１０では、ノズル・ホルダー１１が逆Ｔ字形に作られ、その固定レール３０にはめ合わされてその固定レール３０に長手方向に移動可能にする状態に配置され、そして、油圧シリンダ（図示せず）に支持されてその油圧シリンダでその固定レール３０に長手方向に移動され，そして、注入ホース２０で圧送ポンプ（図示せず）に接続されてその圧送ポンプからそのグリースの供給を受け、また、多数の噴射ノズル１２、１３、１４、１５、１６、１７、および１８、１９が、その固定レール３０の内面３９および外面４０において塗布必要な部分４１、４２、４３、４４、４５、４６、および４７、４８に向かい合ってそのノズル・ホルダー１１に一体的にねじ結合される。
【０００７】
この多点噴射ノズル型高粘度物質噴射装置１０は、その固定レール３０が前端にフロント・レッグ４９を、後端にリア・レッグ５０をそれぞれ溶接して塗布設備（図示せず）上の治具（図示せず）にセットされてからその固定レール３０にはめ合わされてその油圧シリンダでその長手方向に移動され、そして同時的にグリースがその圧送ポンプからそのノズル・ホルダー１１に供給されるので、その噴射ノズル１２、１３、１４、１５、１６、１７、および１８、１９からそのグリースを噴射してその固定レール３０のその内面３９および外面４０においてその塗布必要な部品４１、４２、４３、４４、４５、４６、および４７、４８にそのグリースをむらなく塗布する。そこでは、そのフリースの塗布量はその噴射装置１０の移動速度で設定された。勿論、そのグリースの塗布量は噴射圧で設定されてもかまわない。さらには、そのグリースの塗布量はその塗布必要な部分４１、４２、４３、４４、４５、４６、および４７、４８に対応して複数の異なる噴口面積の噴射ノズルを用いて設定されてもかまわない。
【０００８】
図４および図５は、さらに改善されてその自動車シートに組み込まれるそのシート・トラックのその固定レール３０にグリースを塗布するところのこの発明の多点噴射ノズル型高粘度物質噴射装置の具体例６０を示し、そして、この多点噴射ノズル型高粘度物質噴射装置６０では、メイン・ノズル・ホルダ６１が、ブロック形に作られ、その固定レール３０内にはめ込まれてその固定レール３０に長手方向に移動可能にする状態に配置され、油圧シリンダ（図示せず）に支持されてその油圧シリンダでその固定レール３０内にその長手方向に移動され、そして、注入ホース７２で圧送ポンプ（図示せず）に接続されてそのグリースの供給を受け、また、サブ・ノズル・ホルダー６２が、ブロック形に作られ、そのメイン・ノズル・ホルダー６１に一体的に組み付けられてそのメイン・ノズル・ホルダー６１に支持され、その固定レール３０内にはめ込まれてその固定レール３０にその長手方向に移動可能に配置され、そして、その注入ホース７２でその圧送ポンプに接続されてその圧送ポンプからグリースの供給を受け、さらに、複数の縦方向噴射ノズル６３、６４、６５、６６が、その固定レール３０の内面３９において塗布必要な上下部分１２、１３、１４、１５に向かい合ってそのメイン・ノズル・ホルダー６１に一体的に組み付けられ、またさらに、複数の横方向噴射ノズル６７、６８が、その固定レール３０のその内面３９において塗布必要な左右部分１６、１７に向かい合ってそのサブ・ノズル・ホルダー６２に一体的に組み付けられ、さらには、分岐噴射管６９が、その固定レール３０の外面４０において複数の塗布必要な部分１８、１９に噴口７０、７１を向い合わせてそのメイン・ノズル・ホルダー６１と一緒にその固定レール３０にその長手方向に移動可能にされ、そして、さらに別の注入ホース（図示せず）でその圧送ポンプに接続されてその圧送ポンプからグリースの供給を受ける。
【０００９】
そのサブ・ノズル・ホルダー６２は、その注入ホース７２によらずに別の注入ホース（図示せず）でその圧送ポンプに接続されてその圧送ポンプからグリースの供給を受けてもかまわない。
【００１０】
この多点噴射ノズル型高粘度物質噴射装置６０もその前述された多点噴射ノズル型高粘度物質噴射装置１０と同様にその固定レール３０のその内面３９および外面４０においてその塗布必要な部分４１、４２、４３、４４、４５、４６、および４７、４８にそのグリースをむらなく塗布する。この多点噴射ノズル型高粘度物質噴射装置６０では、そのグリースはその噴射ノズル６３、６４、６５、６６、６７、６８およびその分岐噴射管６９で２種類の異なる塗布量に設定され、そして、その固定レール３０に塗布される。そのようにこの多点噴射ノズル型高粘度物質噴射装置６０では、そのグリースの塗布量が２種類に設定され、そして、そのグリースは特にその固定レール３０のその外面４０においてその塗布必要な部分１８、１９にライン状に塗布される。そして、その固定レール３０がロング・レールになると、そのようにそのグリースの塗布量は２種類に設定されるのが望ましい。勿論、そのグリースの塗布量は、細長い横断面溝形部品に応じて３種類にもそれ以上にも設定されてかまわない。
【００１１】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【００１２】
【発明の便益】
上述から理解されるように、この発明の多点噴射ノズル型高粘度物質噴射装置は、細長い横断面溝形部品内に長手方向に移動可能に配置され、そして、注入ホースで圧送ポンプに接続されてその圧送ポンプから高粘度物質の供給を受けるノズル・ホルダーと、その横断面溝形部品の内面および外面において塗布必要な部分に向かい合ってそのノズル・ホルダーに一体的に組み付けられる多数の噴射ノズルとを含むので、この発明の多点噴射ノズル型高粘度物質噴射装置では、高粘度物質がその細長い横断面溝形部品において少なくとも塗布必要な部分にむらなく塗布でき、また、その高粘度物質の塗布量が、移動速度や噴射圧などを変えて設定できて容易にコントロールでき、その結果、自動車シートに組み込まれるシート・トラックの固定レールや自動車のフロアに据え付けられるロング・レールなどにとって非常に有用で実用的である。
【図面の簡単な説明】
【図１】この発明の多点噴射ノズル型高粘度物質噴射装置の具体例によってグリースが塗布されるところの自動車シートに組み込むシート・トラックの固定レールを示した斜視図である。
【図２】この発明の多点噴射ノズル型高粘度物質噴射装置の具体例を示した斜視図である。
【図３】その固定レールにグリースを塗布するその噴射装置を示した正面図である。
【図４】そらに改善されてその固定レールにグリースを塗布可能にするところのこの発明の多点噴射ノズル型高粘度物質噴射装置を示した斜視図である。
【図５】その固定レールにグリースを塗布するその噴射装置を示した正面図である。
【符号の説明】
１０  多点噴射ノズル型高粘度物質噴射装置
１１  ノズル・ホルダー
１２  噴射ノズル
１３  噴射ノズル
１４  噴射ノズル
１５  噴射ノズル
１６  噴射ノズル
１７  噴射ノズル
１８  噴射ノズル
１９  噴射ノズル
２０  注入ホース
３０  細長い横断面溝形部品／固定レール
３１  底壁
３２  左の側壁
３３  右の側壁
３４  リップ付きトップ・フランジ
３５  リップ付きトップ・フランジ
３６  リップ
３７  リップ
３８  溝開口
３９  内面
４０  外面
４１  塗布必要な部分
４２  塗布必要な部分
４３  塗布必要な部分
４４  塗布必要な部分
４５  塗布必要な部分
４６  塗布必要な部分
４７  塗布必要な部分
４８  塗布必要な部分
６０  多点噴射ノズル型高粘度噴射装置
６１  メイン・ノズル・ホルダー
６２  サブ・ノズル・ホルダー
６３  縦方向噴射ノズル
６４  縦方向噴射ノズル
６５  縦方向噴射ノズル
６６  縦方向噴射ノズル
６７  横方向噴射ノズル
６８  横方向噴射ノズル
６９  分岐噴射管
７０  噴口
７１  噴口
７２  注入ホース
【図１】
2004313892.tif 000003
【図２】
2004313892.tif 000004
【図３】
2004313892.tif 000005
【図４】
2004313892.tif 000006
【図５】
2004313892.tif 000007